(57)【特許請求の範囲】
【請求項１】
照明器具を制御するセンサユニットにおいて、
センサ部を照明器具の制御部及び電源部を含む直方体状のブロック部から分離自在に構成し、
前記センサ部を前記ブロック部の少なくとも２面に配置可能としたことを特徴とする照明制御用のセンサユニット。
【請求項２】
前記制御部、及び前記制御部から前記照明器具に信号出力する信号線を接続するための制御用端子が設けられた制御用基板と、前記電源部が設けられた電源用基板とを備え、
前記制御用基板を前記電源用基板よりも上側に配置し、前記制御用端子の結線部が前記ブロック部の外郭ケースから露出する構成としたことを特徴とする請求項２に記載の照明制御用のセンサユニット。
【発明の詳細な説明】
【０００１】
【発明の属する技術分野】
本発明は、例えば人の動きや外光の変化をセンサで検知して、照明器具を適切な照明光量となるように自動制御する照明制御用のセンサユニットに関する。
【０００２】
【従来の技術】
従来、照明制御用のセンサユニットは、人の動きや外光の変化を検知するセンサ部、主な機能としてセンサ部によるセンサ検知信号を処理し照明器具に制御信号を出力する制御部、電源部、及びこれら各部を絶縁、保護する外郭ケースから成っている。この種の照明制御用のセンサユニットとしては、センサユニット自体が設備機器として埋込施工や直付施工に対応した形態のものや、照明器具用の安定器同様、機器内蔵用のブロック形態のものがある。
【０００３】
埋込施工に対応した形態のセンサユニットを図１０及び図１１に示す。この形態のセンサユニット７０は、センサ部７１が外郭ケース７４の底面から露出するように設けられ、制御部７２及び電源部７３が外郭ケース７４内部に設けられている。センサユニット７０は、センサ部７１が天井面から露出するように天井内に埋込施工される。
【０００４】
機器内蔵用のセンサ一体型ブロック形態のセンサユニットを図１２に示す。この形態のセンサユニット７０では、要求される形態の機器への内蔵に適した形状に外郭ケース７４が形成されている。センサ部７１は、外郭ケース７４から露出して設けられ、不図示の制御部及び電源部が外郭ケース７４内に設けられている。また、機器内蔵用のセンサ分離型ブロック形態のセンサユニットを図１３に示す。この形態のセンサユニット７０では、センサ部７１が外郭ケース７４から分離した構成となっており、センサ部７１と外郭ケース７４とが共に、要求される形態の機器への内蔵に適した形状に形成されている。
【０００５】
また、複数個のセンサユニットがそれぞれ着脱自在に接続され、センサユニットにより検出された周囲環境に応じて、窓や雨戸のような開閉部を自動的に開閉する自動開閉装置が知られている（例えば、特開平４−７４８４号公報参照）。また、外部リードとの接続方向をいろいろな方向から行うことができる磁気センサが知られている（例えば、実開平５−７３９７３号公報参照）。また、検知ユニットの内部に、人体から放射される熱線を検出する焦電素子を実装した第１の回路基板を納装し、ケースの中に、焦電素子からの出力信号を処理する信号処理回路が実装された第２の回路基板が納装した天井取付型人検知センサが知られている（例えば、特開平４−２２１７８８号公報参照）。また、下部が煙検知センサ収納部、上部が回路部品収納部として構成され、システム天井の隙間に取付けることのできる火災感知器が知られている（例えば、特開平６−２９０３６１号公報参照）。さらに、ランプを備えた器具本体と、内部に人体感知センサを内蔵しランプの点灯制御を行う機能ユニットから成り、機能ユニットが器具本体から着脱容易とされる照明器具が知られている（例えば、実開平４−７６２９８号公報参照）。
【０００６】
【発明が解決しようとする課題】
ところで、照明制御用のセンサユニットをはじめ各種の設備機器は、現場の施工形態や機器形態が多様であり、現場毎の対応が必要である。ところが、上述した照明制御用のセンサユニットでは、予め施工形態や機器形態が想定されセンサユニットの小型化が要求されるなか、特定の施工形態や器具形態を目的とした最適設計は行われているが、他用途への展開については配慮されていない。
【０００７】
このため、現場対応時における制約が大きく、意匠性が損なわれたり、対応ができない場合がある。また、要求される器具形態にセンサユニットが搭載可能であっても、センサユニットの外郭構造全体が、絶縁、保護といった面で２重構造になるため、商品完成状態としては無駄が発生してしまう。
【０００８】
本発明は、上記課題を解決するためになされたものであり、多様化する施工形態や機器形態に柔軟に対応可能であり、また、センサユニット自体を単独で施工可能とし、外郭構造が２重構造とならない照明制御用のセンサユニットを提供することを目的とする。
【０００９】
【課題を解決するための手段】
上記目的を達成するために請求項１の発明は、照明器具を制御するセンサユニットにおいて、センサ部を照明器具の制御部及び電源部を含む直方体状のブロック部から分離自在に構成し、前記センサ部を前記ブロック部の少なくとも２面に配置可能としたものである。
【００１０】
この構成においては、センサユニットは、センサ部のブロック部への配置箇所に応じ異なった形状となる。このため、センサ部のブロック部への配置箇所を施工形態や器具形態に応じて適宜選択し、センサユニットの形状を適切なものとすることで、各種の施工形態や器具形態に対応できる。
【００１１】
請求項２の発明は、請求項１に記載の照明制御用のセンサユニットにおいて、制御部、及び制御部から照明器具に信号出力する信号線を接続するための制御用端子が設けられた制御用基板と、電源部が設けられた電源用基板とを備え、制御用基板を電源用基板よりも上側に配置し、制御用端子の結線部がブロック部の外郭ケースから露出する構成としたものである。
【００１２】
この構成においては、制御部から照明器具へ信号線を接続するための制御用端子の結線部がブロック部の外郭ケースから露出している。このため、制御部から照明器具への信号線を外郭ケースの外側から容易に接続することができる。
【００１３】
【発明の実施の形態】
以下、本発明を具体化した実施形態について図面を参照して説明する。
＜第１の実施形態＞
まず、第１の実施形態による照明制御用のセンサユニットを図１及び図２を参照して説明する。照明制御用のセンサユニット２は、ダブルＴバー１に収められている。ダブルＴバー１は、システム天井に用いられるものであり、断面略Ｔ状の２本のＴバー１を吊下げ支持し、天井パネル５０を載置して天井を構築するものである。ダブルＴバー１を用いたシステム天井は、主に空調設備の設置を目的としているが、非常灯や消防設備の設置場所としても利用される。また、ダブルＴバー１の隙間は、空調用の排気、換気口等に利用される。
【００１４】
現状の施工形態を鑑みると、センサユニット２は、ダブルＴバー１の隙間に収める施工形態が最も幅狭な形態であり、センサユニット２の幅寸法は、多様な施工形態への展開を考える上でダブルＴバー１に収める施工を規準とするのが最適である。
【００１５】
センサユニット２には、不図示の照明器具が接続され、センサユニット２は、人の動きや外光の変化を検知して、照明器具を自動的に点灯、消灯制御したり、適切な明るさとなるように照明器具の照明光量を自動的に調整制御するものである。
【００１６】
また、このセンサユニット２には、壁面等に設置された不図示の外部オン／オフスイッチや外部調光スイッチが接続され、センサユニット２は、これらの外部スイッチが操作されることにより、照明器具を点灯、消灯制御したり、照明光量を調整制御する。また、センサユニット２は、不図示のリモコンが操作されることによっても、同様に照明器具を制御する。
【００１７】
センサユニット２は、センサ部３と略直方体形状のブロック本体部（ブロック部）４とから構成されている。センサ部３は、熱線センサ３ａ、明るさセンサ３ｂ、表示ＬＥＤ３ｃ、及びリモコン送受信部３ｄを備えている。熱線センサ３ａは、部屋内の人の存否や人の動きを検知し、明るさセンサ３ｂは、部屋内の明るさを検知する。表示ＬＥＤ３ｃは、センサユニット４の動作状態に応じた点灯表示をする。リモコン送受信部３ｄは、照明の点灯、消灯や明るさの調整等を手動で行うためのリモコンとの間で無線信号を送受信する。
【００１８】
ブロック本体部４は、センサ部３で検知したセンサ検知信号を処理して照明器具に制御信号を出力する制御部５と、センサユニット２の各部に動作電力を供給する電源部６とを備えている。制御部５は、制御用基板５ｂに実装され、電源部６は、電源用基板６ｂに実装されている。これら制御用基板５ｂ及び電源用基板６ｂは、制御用基板５ｂを電源用基板６ｂの上方（すなわち最上部）に配置して、それぞれ外郭ケース７の側面に形成されたダボ及び係止片（何れも不図示）により保持されている。
【００１９】
外郭ケース７の上面には、外部電源との接続を行うための電源端子台９が設けられている。電源部５は、器具内用ＩＶ線６ａにより電源端子台９と接続されている。制御部５は、コネクタ８ａにより電源部６と接続され、コネクタ８ａを介して電力の供給を受ける。センサ部３は、コネクタ８ｂにより制御部５と接続され、コネクタ８ｂを介して電力の供給を受けると共に各種信号の入出力を行う。
【００２０】
また、制御用基板５ｂには、センサユニット２の仕様上必要な制御信号接続用端子台（制御用端子台）５ａが実装され、制御信号接続用端子台５ａの結線部が外郭ケース７の上面から露出している。ここで、センサユニット２の仕様上必要とは、センサ部３で検知したセンサ検知信号により照明器具を制御する制御信号の出力や、外部接点連動、外部調光信号連動等の機能を実行させる信号の入出力のために必要ということである。すなわち、制御信号接続用端子台５ａには、外部オン／オフスイッチや外部調光スイッチ等からの信号入力用や、これら外部スイッチの操作に応じた制御信号出力用、及びセンサ検知信号に応じた制御信号出力用の信号線が接続される。
【００２１】
制御部５は、センサ部３からのセンサ検知信号及びリモコン受信信号、外部オン／オフスイッチからオン／オフ信号、外部調光スイッチからの調光信号を受けて、照明器具に対して制御信号を出力する。
【００２２】
なお、電源端子台９及び制御信号接続用端子台５ａは、必ずしも設ける必要はなく、口出線等により外部電源、外部スイッチ、照明器具等との間で信号線が接続できる機能があればよい。但し、制御信号接続用端子台５ａについては、同種の信号線が接続されること、及び接続の容易性、組立性からみて、実装型の端子台の方が望ましい。
【００２３】
このような構成のセンサユニット２によれば、現状の施工形態の中で、最も幅狭な形態のダブルＴバー１への施工に対応でき、センサユニット２単独で施工できる。また、センサユニット２が、機能的に必要最低限のモジュールで形成されており、多様な施工形態への対応が容易にできる。さらに、多様な器具形態に対応する際、最小部材で構成されており、外郭の２重構造も回避される。
【００２４】
＜第２の実施形態＞
次に、第２の実施形態による照明制御用のセンサユニットを図３及び図４を参照して説明する。本実施形態では、照明制御用のセンサユニット２は、センサ部３をブロック本体部４から分離自在に構成している。本実施形態における他の構成については、上記の実施形態における構成と同様である。
【００２５】
ブロック本体部４の底面１１には、センサ部３に設けられた係合爪３ｅと係合可能な係合部１０が設けられており、センサ部３は、ブロック本体部４の底面１１と着脱自在になっている。また、底面１１には、センサ部３とブロック本体４内部の制御部（不図示）との電気的接続を行うための開口１７も設けられている。また、ブロック本体部４の側面１２にも、同様の係合部と開口（何れも不図示）が設けられており、センサ部３は、ブロック本体部４の側面１２とも着脱自在となっている。
【００２６】
センサユニット２は、センサ部３をブロック本体部４の底面１１に取付けると、上記の実施形態と同様な形状となり、ダブルＴバーへの施工に対応することができる。また、図４に示すように、センサ部３をブロック本体部４の側面１２に取付けると、埋込型の施工に対応することもできる。このとき、ブロック本体部４には、不図示の固定金具を装着できるブリッジ部１６を予め設けておき、固定金具を介して、埋込施工用の不図示の付加部材をセンサユニットに取付ける。固定金具は、ブリッジ部１６の開口１６ｂに挿入されて装着される。埋込施工をする際は、埋込深さか埋込穴の大きさが選択可能である。
【００２７】
なお、係合部３ｅと開口１７を底面１１及び側面１２以外の箇所に設けて、センサ部３を底面１１及び側面１２以外の箇所に取付け自在としてもよい。ただし、センサ部３を取付け自在とする箇所は、制御信号接続用端子台５ａが設けられた面と反対側の面、又は制御信号接続用端子台５ａが設けられた面と直交し、制御用信号接続用端子台５ａより遠い側の面にするのが望ましい。
【００２８】
このような構成のセンサユニット２によれば、センサ部３が、ブロック本体部４と分離自在に構成され、ブロック本体部４の複数の箇所に勘合取付け自在に構成されているため、各種の施工形態に合せた最適なセンサユニット２の形状が選択でき、コンパクトな対応が可能となる。
【００２９】
＜第３の実施形態＞
次に、第３の実施形態による照明制御用のセンサユニットを図５及び図６を参照して説明する。本実施形態では、照明制御用のセンサユニット２は、ブロック本体部４にブリッジ部１６を設けた構成となっている。このブリッジ部１６は、センサユニット２の各種の施工において固定金具１２を用いる場合に、その固定金具１２を取付けるためのものである。本実施形態における他の構成については、上記第２の実施形態における構成と同様である。図５では、固定金具１２を用いて、ダブルＴバー１へ施工する例を示している。なお、センサ部３については、図示を省略している。
【００３０】
ブロック本体部４は、その外郭ケース７が板金で構成されており、外郭ケース７の側面にブリッジ部１６が設けられている。ブリッジ部１６には、開口１６ａ及び開口１６ｂが形成されている。これら開口１６ａ及び開口１６ｂには、固定金具１２が取付けられる。固定金具１２には、切起片１３を形成し、切起片１３には、ダボ１３ａを形成しておく。
【００３１】
ブリッジ部１６への固定金具１２の取付けは、図６に示すように、固定金具１２の切起片１３をブリッジ部１６の開口１６ａへ挿入することにより行われる。このとき、切起片１３にダボ１３ａが形成されているため、切起片１３は、圧入状態となり勘合固定され、これにより、ブリッジ部１６へ固定金具１２が取付けられる。また、ブロック本体部４の向きを９０°変えて、ブリッジ部１６の開口１６ｂにも同様に、固定金具１２を取付けることができる。固定金具１２が取付けられたセンサユニット２は、この固定金具１２を介して、ダブルＴバー１に設置される。
【００３２】
なお、センサユニット２は、ダブルＴバー１への施工に限らず、固定金具１２を介して埋込施工用の付加部材を取付けることで、埋込型の施工にも対応することができる。また、固定金具１２は、ブリッジ部１６への取付けが可能であればどのような形状のものでもよく、ダブルＴバー１への施工や埋込型としての施工に応じて、それらの施工形態に必要な形状のものを用いればよい。
【００３３】
このような構成のセンサユニット２によれば、センサ部３のブロック本体部４への取付け箇所に応じて、固定金具１２を容易に装着することができる。また、組立性が良く、部材点数も少なくて済む。
【００３４】
＜第４の実施形態＞
次に、第４の実施形態による照明制御用のセンサユニットを図７乃至図９を参照して説明する。本実施形態では、照明制御用のセンサユニット２は、ブロック本体部４の外郭ケース７がアルミ押出材で構成され、外郭ケース７の側面に押し出しにより一対のレール１４が形成されている。このレール１４は、センサユニット２の各種の施工において固定金具１２を用いる場合に、その固定金具１２を取付けるためのものである。本実施形態における他の構成については、上記第３の実施形態における構成と同様である。なお、センサ部３については、図示を省略している。
【００３５】
１対のレール１４は、それぞれ断面略Ｌ状で、外郭ケース７との間に空間を有するように、Ｌ状の先端が所定の間隔を空けて突合せた状態に形成されている。固定金具１２には、バネ性を有するように２つの切起片１５を形成しておく。
【００３６】
レール１４への固定金具１２の取付けは、固定金具１２の２つの切起片１５を、レール１４に沿って、外郭ケース７との間の空間部分に挿入することにより行われる。このとき、２つの切起片１５は、図８に示すようように、２つの切起片１５の並んだ方向がレール１４の伸びる方向と平行となるように挿入することもでき、また、９０°向きを変えて、図９に示すようように、２つの切起片１５の並んだ方向がレール１４の伸びる方向と直交するように挿入することもできる。挿入された切起片１５は、何れの方向に挿入した場合でも、そのバネ性により圧入状態になり、これにより、レール１４へ固定金具１２が取付けられる。
【００３７】
固定金具１２は、レール１４への取付けが可能であればどのような形状のものでもよく、ダブルＴバーへの施工や埋込型としての施工に応じて、それらの施工形態に必要な形状のものを用いればよい。
【００３８】
このような構成のセンサユニット２によれば、上記第３の実施形態と同様に、センサ部３のブロック本体部４への取付け箇所に応じて、固定金具１２を容易に装着することができ、また、組立性が良く、部材点数も少なくて済む。
【００３９】
【発明の効果】
以上説明したように請求項１の発明によれば、センサ部のブロック部への配置箇所に応じて、センサユニットの形状を各種選択できるため、多様化する施工形態や器具形態に柔軟に対応可能なセンサユニットが提供できる。
【００４０】
請求項２の発明によれば、制御用端子の結線部がブロック部の外郭ケースから露出しているため、制御部から照明器具への信号線を容易に接続することができ、センサユニットの組立性が向上する。
【図面の簡単な説明】
【図１】  本発明の一実施形態によるセンサユニットの構成を示す断面図。
【図２】  同センサユニットの構成を示す一部を切欠いた斜視図。
【図３】  本発明の別の実施形態によるセンサユニットの構成を示す斜視図。
【図４】  同センサユニットの組立例を示す斜視図。
【図５】  本発明のさらに別の実施形態によるセンサユニットの構成を示す斜視図。
【図６】  同センサユニットの固定金具の取付け方を説明する要部側面図。
【図７】  本発明のさらに別の実施形態によるセンサユニットの構成を示す斜視図。
【図８】  同センサユニットの固定金具の取付け方を説明する要部側面図。
【図９】  同センサユニットの固定金具の取付け方を説明する要部側面図。
【図１０】  従来の埋込施工に対応した形態のセンサユニットの外観図。
【図１１】  同センサユニットの断面図。
【図１２】  従来の機器内蔵用のセンサ一体型ブロック形態のセンサユニットの外観図。
【図１３】  従来の機器内蔵用のセンサ分離型ブロック形態のセンサユニットの外観図。
【符号の説明】
２  センサユニット
３  センサ部
４  ブロック本体部（ブロック部）
５  制御部
５ａ  制御信号接続用端子台（制御用端子台）
５ｂ  制御用基板
６  電源部
６ｂ  電源用基板
７  外郭ケース
【図１】
0004058990.tif 000002
【図２】
0004058990.tif 000003
【図３】
0004058990.tif 000004
【図４】
0004058990.tif 000005
【図５】
0004058990.tif 000006
【図６】
0004058990.tif 000007
【図７】
0004058990.tif 000008
【図８】
0004058990.tif 000009
【図９】
0004058990.tif 000010
【図１０】
0004058990.tif 000011
【図１１】
0004058990.tif 000012
【図１２】
0004058990.tif 000013
【図１３】
0004058990.tif 000014